(57)【要約】【課題】予め残したいエラーコードに係るログのみを残すことができる通信端末装置を提供する。【解決手段】ファクシミリ装置２０において、ファクシミリ通信の履歴情報であるログのうち残したいログのエラーコードを操作部５を用いて指定入力してＲＡＭ７内のエラー解析用ログテーブル７ｂに格納した後（図２のステップＳ１−Ｓ３）、主制御部１は、ファクシミリ通信中におけるファクシミリ通信のログをＲＡＭ７内の信号モニタバッファメモリ７ｃに格納し（図３のステップＳ１３及び図４のステップＳ２２など）、通信終了後に上記指定されたエラーコードに係るログのみをＲＡＭ７内のエラー解析用ログテーブル７ｂに格納する（図３のステップＳ１６−Ｓ１７及び図４のステップＳ３５−Ｓ３６）。【選択図】図３
2005191674.tif 000002
【特許請求の範囲】
【請求項１】
ファクシミリ通信の履歴情報のうち残したい履歴情報のエラーコードを入力して第１の記憶手段に格納する第１の入力手段と、
上記格納されたエラーコードに係るファクシミリ通信の履歴情報を第２の記憶手段に格納する制御手段とを備えたことを特徴とする通信端末装置。
【請求項２】
上記第２の記憶手段に格納されたファクシミリ通信の履歴情報のうち印刷したい履歴情報を選択的に指定する第２の入力手段と、
上記指定された履歴情報を印刷する印刷手段とをさらに備えたことを特徴とする請求項１記載の通信端末装置。
【請求項３】
上記制御手段は、上記格納されたエラーコードに係るファクシミリ通信の履歴情報を第２の記憶手段に格納するときに、上記第２の記憶手段の容量不足のために格納できないときは、当該最新の履歴情報を格納できるように、最も古い履歴情報から順次履歴情報を選択して削除することを特徴とする請求項１又は２記載の通信端末装置。
【請求項４】
上記制御手段は、上記第２の記憶手段に格納した履歴情報のうち、各履歴情報の格納時から所定の時間だけ経過した履歴情報を削除することを特徴とする請求項１乃至３のうちのいずれか１つに記載の通信端末装置。
【発明の詳細な説明】
【技術分野】
【０００１】
本発明は、例えばファクシミリ装置、ファクシミリ機能を有するディジタル複合装置などの通信端末装置に関する。
【背景技術】
【０００２】
ファクシミリ装置において、交信中に回線状況が悪くなったり、機械に故障が生じたりすると、交信エラーを生じ、交信途中で回線断となる。従って、過去のファクシミリ送信における相手先毎のエラー状況を容易に把握できるようにするために、例えば、特許文献２では、下記のように送信エラーの履歴情報をメモリに格納することを提案している。
【０００３】
ＣＰＵは、ＮＣＵによるファクシミリ送信時にファクシミリ送信エラーが発生したときの相手先毎のエラー種類及びエラー発生時刻等のエラー情報をＲＡＭに記憶し、その記憶数が所定数に達した時やオペレータによる指示があった時などに、その記憶したエラー情報に基づいてファクシミリ送信先毎のエラー種類と発生回数とエラー発生時刻とからなる送信エラー履歴情報（エラー状況）を編集して、表示装置に表示又はプロッタによってプリントする。
【０００４】
【特許文献１】特開平２−２１８２６４号公報。
【特許文献２】特開平７−３０７８５１号公報。
【発明の開示】
【発明が解決しようとする課題】
【０００５】
ある特定の相手先だけで起こる交信エラーや、ある特定の交信エラーが稀に起こるケースがあり、エラーを解析するためのログを残して起きたいが、メモリ容量の制約などで、他の正常な通信ログによって埋もれてしまい、もしくは、上書きされてしまうという問題点があった。
【０００６】
本発明の目的は以上の問題点を解決し、予め残したいエラーコードに係るログのみを残すことができる通信端末装置を提供することにある。
【課題を解決するための手段】
【０００７】
本発明に係る通信端末装置は、ファクシミリ通信の履歴情報のうち残したい履歴情報のエラーコードを入力して第１の記憶手段に格納する第１の入力手段と、
上記格納されたエラーコードに係るファクシミリ通信の履歴情報を第２の記憶手段に格納する制御手段とを備えたことを特徴とする。
【０００８】
上記通信端末装置において、上記第２の記憶手段に格納されたファクシミリ通信の履歴情報のうち印刷したい履歴情報を選択的に指定する第２の入力手段と、
上記指定された履歴情報を印刷する印刷手段とをさらに備えたことを特徴とする。
【０００９】
また、上記通信端末装置において、上記制御手段は、上記格納されたエラーコードに係るファクシミリ通信の履歴情報を第２の記憶手段に格納するときに、上記第２の記憶手段の容量不足のために格納できないときは、当該最新の履歴情報を格納できるように、最も古い履歴情報から順次履歴情報を選択して削除することを特徴とする。
【００１０】
さらに、上記通信端末装置において、上記制御手段は、上記第２の記憶手段に格納した履歴情報のうち、各履歴情報の格納時から所定の時間だけ経過した履歴情報を削除することを特徴とする。
【発明の効果】
【００１１】
従って、本発明に係る通信端末装置によれば、ファクシミリ通信の履歴情報のうち残したい履歴情報のエラーコードを入力して第１の記憶手段に格納し、上記格納されたエラーコードに係るファクシミリ通信の履歴情報を第２の記憶手段に格納する。それ故、予め残したいエラーコードに係る履歴情報のみを残すことができ、これにより、第２の記憶手段のメモリ容量を節約することができる。
【００１２】
また、上記第２の記憶手段に格納されたファクシミリ通信の履歴情報のうち印刷したい履歴情報を選択的に指定して、上記指定された履歴情報を印刷するので、所望の履歴情報を印刷でき、印刷する用紙を節約できる。
【００１３】
さらに、上記格納されたエラーコードに係るファクシミリ通信の履歴情報を第２の記憶手段に格納するときに、上記第２の記憶手段の容量不足のために格納できないときは、当該最新の履歴情報を格納できるように、最も古い履歴情報から順次履歴情報を選択して削除するので、上記第２の記憶手段の容量不足のために格納できないことを防止できる。
【００１４】
さらに、上記第２の記憶手段に格納した履歴情報のうち、各履歴情報の格納時から所定の時間だけ経過した履歴情報を削除するので、上記第２の記憶手段の容量不足のために格納できないことを防止できる。
【発明を実施するための最良の形態】
【００１５】
以下、本発明に係る実施形態について図面を参照して説明する。
【００１６】
＜実施形態＞
図１は、本発明に係る実施形態である、予め設定したエラーコードに係るエラー解析用ログテーブルを格納するログ格納機能を有するファクシミリ装置２０の構成を示すブロック図である。
【００１７】
この実施形態のファクシミリ装置２０において、ファクシミリ通信の履歴情報であるログのうち残したいログのエラーコードを操作部５を用いて指定入力してＲＡＭ７内のエラー解析用ログテーブル７ｂに格納した後（図２のステップＳ１−Ｓ３）、主制御部１は、ファクシミリ通信中におけるファクシミリ通信のログをＲＡＭ７内の信号モニタバッファメモリ７ｃに格納し（図３のステップＳ１３及び図４のステップＳ２２など）、通信終了後に上記指定されたエラーコードに係るログのみをＲＡＭ７内のエラー解析用ログテーブル７ｂに格納する（図３のステップＳ１６−Ｓ１７及び図４のステップＳ３５−Ｓ３６）ことを特徴としている。また、エラー解析用ログテーブル７ｂに格納されたファクシミリ通信のログのうち印刷したいログを操作部５を用いて選択的に指定し、これに応答して、主制御部１は、画像記録部３に対して上記指定されたログを印刷させる。さらに、主制御部１は、上記格納されたエラーコードに係るファクシミリ通信のログをエラー解析用ログテーブル７ｂに格納するときに、エラー解析用ログテーブル７ｂのメモリ容量不足のために格納できないときは、当該最新のログを格納できるように、最も古いログから順次ログを自動的に選択して削除する。また、主制御部１は、エラー解析用ログテーブル７ｂに格納したログのうち、各ログの格納時から所定の時間だけ経過したログを自動的に削除する。
【００１８】
図１において、ファクシミリ装置２０は、従来のＧ３方式等のファクシミリ通信機能を備えるとともに、予め設定したエラーコードに係るエラー解析用ログテーブルを格納するログ格納機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１９】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２０】
ＲＯＭ６は、当該ファクシミリ装置２０の動作に必要であって主制御部１によって実行される種々のソフトウェアのプログラムを予め格納し、ここで、当該プログラムは、少なくとも、図２のエラーコード登録処理、図３のファクシミリ送信処理、図４のファクシミリ受信処理の各プログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００２１】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のディジタル回線（例えば、ＩＳＤＮ回線）に接続するようにしてもよい。
【００２２】
以上のように構成された本実施形態のファクシミリ装置２０は、通常のＧ３方式等のファクシミリ通信機能に加えて、予め設定したエラーコードに係るエラー解析用ログテーブルを格納するログ格納機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２３】
次いで、ＲＡＭ７内に格納されるデータについて以下に詳述する。
【００２４】
ＲＡＭ７内のエラーコード設定テーブル７ａは、エラー解析用ログテーブル７ｂに残すべき少なくとも１つのエラーコードを格納する。また、ＲＡＭ７内のエラー解析用ログテーブル７ｂは、上記選択して指定されたエラーコードに係るエラー解析用ログを、格納日時とともに格納する。ここで、当該ログは、各ファクシミリ通信毎に、ファクシミリ通信の通信手順における通信手順信号とその内容について時系列で日時とともに格納するものである。さらに、ＲＡＭ７内の信号モニタバッファメモリ７ｃはファクシミリ通信中のログを時系列に一時的に日時とともに格納する。
【００２５】
図２は、図１のファクシミリ装置２０の主制御部１によって実行されるエラーコード登録処理を示すフローチャートである。
【００２６】
図２において、まず、ステップＳ１においてエラーコードの一覧を表示部４に表示し、ステップＳ２において表示されたエラーコードの一覧からエラー解析用ログテーブル７ｂに残すべき１つ又は複数のエラーコードを操作部５を用いて選択して入力する。そして、ステップＳ３において、上記選択されたエラーコードをＲＡＭ７内のエラー解析用ログテーブル７ｂに格納し、当該エラーコード登録処理を終了する。
【００２７】
図３は、図１のファクシミリ装置２０の主制御部１によって実行されるファクシミリ送信処理を示すフローチャートである。
【００２８】
図３において、まず、ステップＳ１１において宛先の電話番号をダイヤルして発呼し、ステップＳ１２において通信開始時刻を信号モニタバッファメモリ７ｃに記憶し、ステップＳ１３において、ファクシミリの通信手順信号を送出し、相手方のファクシミリ装置からのファクシミリの通信手順信号を受信して、画像データのファクシミリ送信を行う。このステップ以降、回線開放まで、いずれの信号も時系列に信号モニタバッファメモリ７ｃに日時とともに格納する。次いで、ステップＳ１４において回線開放し、ステップＳ１５において、ファクシミリ通信は正常に終了したか否かが判断され、ＹＥＳのときは当該ファクシミリ送信処理を終了する一方、ＮＯのときはステップＳ１６に進む。ステップＳ１６において、異常終了したときのエラーコードは予めエラーコード設定テーブル７ａに登録されたエラーコードに一致するか否かが判断され、ＹＥＳのときはステップＳ１７に進む一方、ＮＯのときは当該ファクシミリ送信処理を終了する。そして、ステップＳ１７において。信号モニタバッファメモリ７ｃに格納されたログをエラー解析用ログテーブル７ｂに格納して当該ファクシミリ送信処理を終了する。
【００２９】
図４は、図１のファクシミリ装置２０の主制御部１によって実行されるファクシミリ受信処理を示すフローチャートである。
【００３０】
図４において、ステップＳ２１において、着信があったか否かが判断され、ＹＥＳとなったときに、ステップＳ２２において、ＤＩＳ信号を送出し、このステップ以降、回線開放までいずれの信号も時系列に信号モニタバッファメモリ７ｃに日時とともに格納する。次いで、ステップＳ２３において、ＤＣＳ信号を検出したか否かが判断され、ＹＥＳのときはステップＳ２５に進む一方、ＮＯのときはステップＳ２４に進む。ステップＳ２４において３０秒タイマーがタイムオーバーしたか否かが判断され、ＹＥＳのときはステップＳ３３に進む一方、ＮＯのときはステップＳ２２に戻る。ステップＳ２５においてＴＲＮ信号を検出したか否かが判断され、ＹＥＳのときはステップＳ２６に進む一方、ＮＯのときはステップＳ３３に進む。そして、ステップＳ２６においてＣＦＲ信号を送出し、ステップＳ２７において、画像信号の送出前のトレーニングは完了したか否かが判断され、ＹＥＳのときはステップＳ２８に進む一方、ＮＯのときはステップＳ３３に進む。
【００３１】
さらに、ステップＳ２８において画像信号を受信し、ステップＳ２９において、ポストメッセージ信号を検出したか否かが判断され、ＹＥＳのときはステップＳ３０に進む一方、ＮＯのときはステップＳ３３に進む。ステップＳ３０においてＭＣＦ信号を送出し、ステップＳ３１においてＤＣＮ信号を検出し、ステップＳ３２において回線開放して当該ファクシミリ受信処理を終了する。
【００３２】
ステップＳ３３では、ＤＣＮ信号を送出し、ステップＳ３４において回線開放した後、ステップＳ３５においてエラーコードは予めエラーコード設置テーブル７ａに登録されたエラーコードに一致するか否かが判断され、ＹＥＳのときはステップＳ３６に進む一方、ＮＯのときは当該ファクシミリ受信処理を終了する。ステップＳ３６において信号モニタバッファメモリ７ｃに格納されたログをエラー解析用ログテーブル７ｂに格納し、当該ファクシミリ受信処理を終了する。
【００３３】
さらに、当該ファクシミリ装置においては、エラー解析用ログテーブル７ｂに格納されたファクシミリ通信のログのうち印刷したいログを操作部５を用いて選択的に指定し、これに応答して、主制御部１は、画像記録部３に対して上記指定されたログを印刷させる。また、主制御部１は、上記格納されたエラーコードに係るファクシミリ通信のログをエラー解析用ログテーブル７ｂに格納するときに、エラー解析用ログテーブル７ｂのメモリ容量不足のために格納できないときは、当該最新のログを格納できるように、最も古いログから順次ログを自動的に選択して削除する。またさらに、主制御部１は、エラー解析用ログテーブル７ｂに格納したログのうち、各ログの格納時から所定の時間だけ経過したログを自動的に削除する。
【００３４】
以上説明したように、本実施形態に係るファクシミリ装置２０によれば、ファクシミリ通信の履歴情報であるログのうち残したいログのエラーコードを操作部５を用いて指定入力してＲＡＭ７内のエラー解析用ログテーブル７ｂに格納した後（図２のステップＳ１−Ｓ３）、主制御部１は、ファクシミリ通信中におけるファクシミリ通信のログをＲＡＭ７内の信号モニタバッファメモリ７ｃに格納し（図３のステップＳ１３及び図４のステップＳ２２など）、通信終了後に上記指定されたエラーコードに係るログのみをＲＡＭ７内のエラー解析用ログテーブル７ｂに格納する（図３のステップＳ１６−Ｓ１７及び図４のステップＳ３５−Ｓ３６）。それ故、予め残したいエラーコードに係るログのみを残すことができ、これにより、ＲＡＭ７のメモリ容量を節約することができる。
【００３５】
また、エラー解析用ログテーブル７ｂに格納されたファクシミリ通信のログのうち印刷したいログを操作部５を用いて選択的に指定し、これに応答して、主制御部１は、画像記録部３に対して上記指定されたログを印刷させる。従って、所望の履歴情報のみを印刷でき、印刷する用紙を節約できる。
【００３６】
さらに、主制御部１は、上記格納されたエラーコードに係るファクシミリ通信のログをエラー解析用ログテーブル７ｂに格納するときに、エラー解析用ログテーブル７ｂのメモリ容量不足のために格納できないときは、当該最新のログを格納できるように、最も古いログから順次ログを自動的に選択して削除する。従って、上記第２の記憶手段の容量不足のために格納できないことを防止できる。
【００３７】
また、主制御部１は、エラー解析用ログテーブル７ｂに格納したログのうち、各ログの格納時から所定の時間だけ経過したログを自動的に削除する。従って、上記第２の記憶手段の容量不足のために格納できないことを防止できる。
【図面の簡単な説明】
【００３８】
【図１】本発明に係る実施形態である、予め設定したエラーコードに係るエラー解析用ログテーブルを格納するログ格納機能を有するファクシミリ装置２０の構成を示すブロック図である。
【図２】図１のファクシミリ装置２０の主制御部１によって実行されるエラーコード登録処理を示すフローチャートである。
【図３】図１のファクシミリ装置２０の主制御部１によって実行されるファクシミリ送信処理を示すフローチャートである。
【図４】図１のファクシミリ装置２０の主制御部１によって実行されるファクシミリ受信処理を示すフローチャートである。
【符号の説明】
【００３９】
１…主制御部、
２…画像読取部、
３…画像記録部、
４…表示部、
５…操作部、
６…ＲＯＭ、
７…ＲＡＭ、
７ａ…エラーコード設定テーブル、
７ｂ…エラー解析用ログテーブル、
７ｃ…信号モニタバッファメモリ、
８…画像メモリ、
１０…ファックスモデム、
１１…ＮＣＵ、
１３…バス、
２０…ファクシミリ装置、
Ｌ…公衆電話回線。
【図１】
2005191674.tif 000003
【図２】
2005191674.tif 000004
【図３】
2005191674.tif 000005
【図４】
2005191674.tif 000006